(57)【要約】【課題】ユーザが所望の色変換処理を実現する最適な設定項目の設定値の組み合わせを容易に決定することを可能にする色変換条件設定プログラム提供する。【解決手段】本発明の色変換条件設定プログラムは、色変換処理の条件を設定するための設定画面上に設定値を選択可能に設けられている複数の設定項目のうち、設定値が未選択のままにされている設定項目を認識する手順（ａ）と、手順（ａ）において認識された設定項目に対する設定値を設定する際の候補となる、設定値のすべての組み合わせを求める手順（ｂ）と、手順（ｂ）において求められた組み合わせのそれぞれについて、対応する設定値に基づく画像データの色変換処理を行う手順（ｃ）と、手順（ｃ）において組み合わせ毎に色変換処理を行うことにより得られた色変換処理後の画像データを画像形成装置に送信する手順（ｄ）と、をコンピュータに実行させる。【選択図】図５
2011049833.tif 000002
【特許請求の範囲】
【請求項１】
色変換処理の条件を設定するための設定画面上に設定値を選択可能に設けられている複数の設定項目のうち、設定値が未選択のままにされている設定項目を認識する手順（ａ）と、
前記手順（ａ）において認識された設定項目に対する設定値を設定する際の候補となる、設定値のすべての組み合わせを求める手順（ｂ）と、
前記手順（ｂ）において求められた前記組み合わせのそれぞれについて、対応する設定値に基づく画像データの色変換処理を行う手順（ｃ）と、
前記手順（ｃ）において前記組み合わせ毎に前記色変換処理を行うことにより得られた色変換処理後の画像データを画像形成装置に送信する手順（ｄ）と、
をコンピュータに実行させることを特徴とする色変換条件設定プログラム。
【請求項２】
前記手順（ａ）の前に、前記設定値が未選択のままにされている設定項目の許容数を記憶する手順（ｅ）をさらに前記コンピュータに実行させ、
前記手順（ｂ）は、
前記手順（ａ）において認識された設定項目の数が前記許容数を上回る場合、予め設定されている優先順位に基づいて前記許容数の設定項目を選択する手順（ｂ１）と、
前記手順（ｂ１）において選択された前記許容数の設定項目について、前記設定値のすべての組み合わせを求める手順（ｂ２）と、を有することを特徴とする請求項１に記載の色変換条件設定プログラム。
【請求項３】
前記手順（ａ）の前に、前記優先順位の設定を受け付ける手順（ｆ）をさらに前記コンピュータに実行させ、
前記手順（ｂ１）において、前記手順（ｆ）において受け付けられた前記優先順位に基づいて前記許容数の設定項目が選択されることを特徴とする請求項２に記載の色変換条件設定プログラム。
【請求項４】
前記優先順位は、前記画像データに含まれるオブジェクトの種類に応じて設定されることを特徴とする請求項３に記載の色変換条件設定プログラム。
【請求項５】
前記手順（ｃ）の前に、ユーザによる前記画像データの選択を受け付ける手順（ｇ）をさらに前記コンピュータに実行させ、
前記手順（ｃ）において、前記手順（ｇ）において受け付けられた前記画像データの色変換処理が行われることを特徴とする請求項１〜４のいずれか１項に記載の色変換条件設定プログラム。
【請求項６】
前記手順（ｄ）の前に、前記画像データの色変換処理に適用された設定値の一覧を示す設定値の一覧の画像データを生成する手順（ｈ）をさらに前記コンピュータに実行させ、
前記手順（ｄ）において、前記設定値の一覧の画像データが付加された前記色変換処理後の画像データが前記画像形成装置に送信されることを特徴とする請求項１〜５のいずれか１項に記載の色変換条件設定プログラム。
【請求項７】
前記設定項目は、色の補正に関する処理を行うか否かをユーザに設定させるための設定項目を含むことを特徴とする請求項１〜６のいずれか１項に記載の色変換条件設定プログラム。
【請求項８】
前記設定項目は、画像データにおける基本色の入力値１００％（ベタ）部を１００％（ベタ）部のまま保持する処理を行うか否かをユーザに設定させるための設定項目を含むことを特徴とする請求項１〜７のいずれか１項に記載の色変換条件設定プログラム。
【請求項９】
前記設定項目は、画像データにおける基本色に当該基本色の構成色以外の色が混入することを防止する処理を行うか否かをユーザに設定させるための設定項目を含むことを特徴とする請求項１〜８のいずれか１項に記載の色変換条件設定プログラム。
【請求項１０】
前記設定項目は、シアン（Ｃ）、マゼンタ（Ｍ）、イエロー（Ｙ）、およびブラック（Ｋ）の４つの基本色のそれぞれについて設けられていることを特徴とする請求項１〜９のいずれか１項に記載の色変換条件設定プログラム。
【請求項１１】
前記設定項目は、赤（Ｒ）、緑（Ｇ）、および青（Ｂ）の３つの基本色のそれぞれについて設けられていることを特徴とする請求項１〜１０のいずれか１項に記載の色変換条件設定プログラム。
【請求項１２】
前記手順（ｃ）の前に、ソースプロファイルおよびデスティネーションプロファイルの設定を受け付ける手順（ｉ）をさらに前記コンピュータに実行させ、
前記手順（ｃ）は、
前記手順（ｉ）において受け付けられたソースプロファイルおよびデスティネーションプロファイルと前記対応する設定値とに基づいて、前記組み合わせ毎にデバイスリンクプロファイルを作成する手順（ｃ１）と、
前記手順（ｃ１）において作成された前記デバイスリンクプロファイルを適用して、前記画像データの色変換処理を行う手順（ｃ２）と、を有することを特徴とする請求項１〜１１のいずれか１項に記載の色変換条件設定プログラム。
【請求項１３】
前記手順（ｄ）は、
前記組み合わせ毎に得られた複数の前記色変換処理後の画像データの面付け処理を行う手順（ｄ１）と、
前記面付け処理後の画像データを前記画像形成装置に送信する手順（ｄ２）と、を有することを特徴とする請求項１〜１２のいずれか１項に記載の色変換条件設定プログラム。
【請求項１４】
請求項１〜１３のいずれか１項に記載の色変換条件設定プログラムを記録したコンピュータ読み取り可能な記録媒体。
【請求項１５】
色変換処理の条件を設定するための設定画面上に設定値を選択可能に設けられている複数の設定項目のうち、設定値が未選択のままにされている設定項目を認識するステップ（ａ）と、
前記ステップ（ａ）において認識された設定項目に対する設定値を設定する際の候補となる、設定値のすべての組み合わせを求めるステップ（ｂ）と、
前記ステップ（ｂ）において求められた前記組み合わせのそれぞれについて、対応する設定値に基づく画像データの色変換処理を行うステップ（ｃ）と、
前記ステップ（ｃ）において前記組み合わせ毎に前記色変換処理を行うことにより得られた色変換処理後の画像データを画像形成装置に送信するステップ（ｄ）と、
を有することを特徴とする色変換条件設定方法。
【請求項１６】
色変換処理の条件を設定するための設定画面上に設定値を選択可能に設けられている複数の設定項目のうち、設定値が未選択のままにされている設定項目を認識する認識手段と、
前記認識手段により認識された設定項目に対する設定値を設定する際の候補となる、設定値のすべての組み合わせを求める算出手段と、
前記算出手段により求められた前記組み合わせのそれぞれについて、対応する設定値に基づく画像データの色変換処理を行う色変換手段と、
前記色変換手段により前記組み合わせ毎に前記色変換処理を行うことにより得られた色変換処理後の画像データを画像形成装置に送信する送信手段と、
を有することを特徴とする色変換条件設定装置。
【発明の詳細な説明】
【技術分野】
【０００１】
本発明は、色変換条件設定プログラム、色変換条件設定方法、および色変換条件設定装置に関する。本発明は、特に、色変換プロファイルを適用した色変換処理に使用される色変換条件設定プログラム、色変換条件設定方法、および色変換条件設定装置に関する。
【背景技術】
【０００２】
パソコン、プリンタ、およびデジタルカメラ等のデジタル処理機器の間で、カラー画像を伝達する場合、各デバイスの特有の色空間特性を考慮して画像データの色を調整する必要がある。画像データの色の調整には、ルックアップテーブルを有する色変換プロファイルが用いられる。
【０００３】
これに関連する技術として、ソースプロファイルおよびデスティネーションプロファイルからデバイスリンクプロファイル（Ｄｅｖｉｃｅ  Ｌｉｎｋ  Ｐｒｏｆｉｌｅ：以下、ＤＬＰと称する）を作成する技術が知られている。ＤＬＰを作成する処理では、画像データに忠実な画像の印刷出力を実現する見地から、ベタ保持処理および中間にごり除去処理等の補正処理が行われる。これらの補正処理は、ＤＬＰの作成時に、シアン（Ｃ）、マゼンタ（Ｍ）、イエロー（Ｙ）、およびブラック（Ｋ）等の基本色毎に、ベタ保持処理を行うか否か、あるいは、中間にごり除去処理を行うか否かをユーザが設定することにより実現され、補正処理に関する設定を反映するＤＬＰが作成される。
【０００４】
しかしながら、これらの補正処理では、ソースプロファイルとデスティネーションプロファイルの色域の違い、印刷物の用途および種類（テキスト、イメージ、グラフィック）等に応じて最適な設定が異なるため、すべての基本色について、補正処理を行うか否かをユーザが適切に設定することが困難であるという問題がある。ユーザは、いくつかの基本色については補正処理を行うべきか否かを判断して設定を行うことができるものの、他のいくつかの基本色については補正処理を行うべきか否かを判断できず、これらの設定を行うことができない場合がある。所望の色変換処理を実現するためには、ユーザがサンプル画像を目視により確認して、補正処理を行うか否かを決定することが望ましい。
【０００５】
一方、下記の特許文献１には、所定のステップ幅で濃度番号が付されているグラデーション状の参照パターン画像とベタ状のキャリブレーションパターン画像とをユーザが見比べ、ベタ状のキャリブレーションパターン画像に類似する参照パターン画像の濃度番号を選択することにより、プリンタのキャリブレーションを行う技術が提案されている。また、下記の特許文献２には、色処理パラメータを所定のステップ幅で変化させて、各色処理パラメータに応じた複数のサンプル画像を印刷出力し、ユーザに色処理パラメータを選択させる技術が提案されている。しかしながら、これらの技術は、予め何らかの値が設定されている設定項目の値を調整するものであり、複数の設定項目の中に設定値が設定されていない設定項目が含まれる場合に対処するものではない。また、これらの技術は、連続的に変化する色の濃度や強度を所定のステップ幅で調整するものであり、設定項目が取り得るすべての設定値を網羅するものではない。
【先行技術文献】
【特許文献】
【０００６】
【特許文献１】特開２００５−１４４８６１号公報
【特許文献２】特開２００７−１８１１４５号公報
【発明の概要】
【発明が解決しようとする課題】
【０００７】
本発明は、上述した課題に鑑みてなされたものである。したがって、本発明の目的は、色変換処理の条件を設定するための設定画面に表示される複数の設定項目の中に設定値が設定されていない設定項目が含まれる場合において、設定項目が取り得るすべての設定値を網羅して、ユーザが所望の色変換処理を実現する最適な設定項目の設定値の組み合わせを容易に決定することを可能にする色変換条件設定プログラム、色変換条件設定方法、および色変換条件設定装置を提供することである。
【課題を解決するための手段】
【０００８】
本発明の上記目的は、下記の手段によって達成される。
【０００９】
（１）色変換処理の条件を設定するための設定画面上に設定値を選択可能に設けられている複数の設定項目のうち、設定値が未選択のままにされている設定項目を認識する手順（ａ）と、前記手順（ａ）において認識された設定項目に対する設定値を設定する際の候補となる、設定値のすべての組み合わせを求める手順（ｂ）と、前記手順（ｂ）において求められた前記組み合わせのそれぞれについて、対応する設定値に基づく画像データの色変換処理を行う手順（ｃ）と、前記手順（ｃ）において前記組み合わせ毎に前記色変換処理を行うことにより得られた色変換処理後の画像データを画像形成装置に送信する手順（ｄ）と、をコンピュータに実行させることを特徴とする色変換条件設定プログラム。
【００１０】
（２）前記手順（ａ）の前に、前記設定値が未選択のままにされている設定項目の許容数を記憶する手順（ｅ）をさらに前記コンピュータに実行させ、前記手順（ｂ）は、前記手順（ａ）において認識された設定項目の数が前記許容数を上回る場合、予め設定されている優先順位に基づいて前記許容数の設定項目を選択する手順（ｂ１）と、前記手順（ｂ１）において選択された前記許容数の設定項目について、前記設定値のすべての組み合わせを求める手順（ｂ２）と、を有することを特徴とする上記（１）に記載の色変換条件設定プログラム。
【００１１】
（３）前記手順（ａ）の前に、前記優先順位の設定を受け付ける手順（ｆ）をさらに前記コンピュータに実行させ、前記手順（ｂ１）において、前記手順（ｆ）において受け付けられた前記優先順位に基づいて前記許容数の設定項目が選択されることを特徴とする上記（２）に記載の色変換条件設定プログラム。
【００１２】
（４）前記優先順位は、前記画像データに含まれるオブジェクトの種類に応じて設定されることを特徴とする上記（３）に記載の色変換条件設定プログラム。
【００１３】
（５）前記手順（ｃ）の前に、ユーザによる前記画像データの選択を受け付ける手順（ｇ）をさらに前記コンピュータに実行させ、前記手順（ｃ）において、前記手順（ｇ）において受け付けられた前記画像データの色変換処理が行われることを特徴とする上記（１）〜（４）のいずれか一つに記載の色変換条件設定プログラム。
【００１４】
（６）前記手順（ｄ）の前に、前記画像データの色変換処理に適用された設定値の一覧を示す設定値の一覧の画像データを生成する手順（ｈ）をさらに前記コンピュータに実行させ、前記手順（ｄ）において、前記設定値の一覧の画像データが付加された前記色変換処理後の画像データが前記画像形成装置に送信されることを特徴とする上記（１）〜（５）のいずれか一つに記載の色変換条件設定プログラム。
【００１５】
（７）前記設定項目は、色の補正に関する処理を行うか否かをユーザに設定させるための設定項目を含むことを特徴とする上記（１）〜（６）のいずれか一つに記載の色変換条件設定プログラム。
【００１６】
（８）前記設定項目は、画像データにおける基本色の入力値１００％（ベタ）部を１００％（ベタ）部のまま保持する処理を行うか否かをユーザに設定させるための設定項目を含むことを特徴とする上記（１）〜（７）のいずれか一つに記載の色変換条件設定プログラム。
【００１７】
（９）前記設定項目は、画像データにおける基本色に当該基本色の構成色以外の色が混入することを防止する処理を行うか否かをユーザに設定させるための設定項目を含むことを特徴とする上記（１）〜（８）のいずれか一つに記載の色変換条件設定プログラム。
【００１８】
（１０）前記設定項目は、シアン（Ｃ）、マゼンタ（Ｍ）、イエロー（Ｙ）、およびブラック（Ｋ）の４つの基本色のそれぞれについて設けられていることを特徴とする上記（１）〜（９）のいずれか一つに記載の色変換条件設定プログラム。
【００１９】
（１１）前記設定項目は、赤（Ｒ）、緑（Ｇ）、および青（Ｂ）の３つの基本色のそれぞれについて設けられていることを特徴とする上記（１）〜（１０）のいずれか一つに記載の色変換条件設定プログラム。
【００２０】
（１２）前記手順（ｃ）の前に、ソースプロファイルおよびデスティネーションプロファイルの設定を受け付ける手順（ｉ）をさらに前記コンピュータに実行させ、前記手順（ｃ）は、前記手順（ｉ）において受け付けられたソースプロファイルおよびデスティネーションプロファイルと前記対応する設定値とに基づいて、前記組み合わせ毎にデバイスリンクプロファイルを作成する手順（ｃ１）と、前記手順（ｃ１）において作成された前記デバイスリンクプロファイルを適用して、前記画像データの色変換処理を行う手順（ｃ２）と、を有することを特徴とする上記（１）〜（１１）のいずれか一つに記載の色変換条件設定プログラム。
【００２１】
（１３）前記手順（ｄ）は、前記組み合わせ毎に得られた複数の前記色変換処理後の画像データの面付け処理を行う手順（ｄ１）と、前記面付け処理後の画像データを前記画像形成装置に送信する手順（ｄ２）と、を有することを特徴とする上記（１）〜（１２）のいずれか一つに記載の色変換条件設定プログラム。
【００２２】
（１４）上記（１）〜（１３）のいずれか一つに記載の色変換条件設定プログラムを記録したコンピュータ読み取り可能な記録媒体。
【００２３】
（１５）色変換処理の条件を設定するための設定画面上に設定値を選択可能に設けられている複数の設定項目のうち、設定値が未選択のままにされている設定項目を認識するステップ（ａ）と、前記ステップ（ａ）において認識された設定項目に対する設定値を設定する際の候補となる、設定値のすべての組み合わせを求めるステップ（ｂ）と、前記ステップ（ｂ）において求められた前記組み合わせのそれぞれについて、対応する設定値に基づく画像データの色変換処理を行うステップ（ｃ）と、前記ステップ（ｃ）において前記組み合わせ毎に前記色変換処理を行うことにより得られた色変換処理後の画像データを画像形成装置に送信するステップ（ｄ）と、を有することを特徴とする色変換条件設定方法。
【００２４】
（１６）色変換処理の条件を設定するための設定画面上に設定値を選択可能に設けられている複数の設定項目のうち、設定値が未選択のままにされている設定項目を認識する認識手段と、前記認識手段により認識された設定項目に対する設定値を設定する際の候補となる、設定値のすべての組み合わせを求める算出手段と、前記算出手段により求められた前記組み合わせのそれぞれについて、対応する設定値に基づく画像データの色変換処理を行う色変換手段と、前記色変換手段により前記組み合わせ毎に前記色変換処理を行うことにより得られた色変換処理後の画像データを画像形成装置に送信する送信手段と、を有することを特徴とする色変換条件設定装置。
【発明の効果】
【００２５】
本発明によれば、設定値が設定されていない設定項目が取り得る設定値のすべての組み合わせについて、各組み合わせに基づく色変換処理が行われた画像データが生成され、画像が印刷出力される。したがって、設定項目が取り得るすべての設定値を網羅する複数の画像を見比べることにより、所望の色変換処理を実現する設定値の最適な組み合わせをユーザが容易に決定することが可能となる。
【図面の簡単な説明】
【００２６】
【図１】本発明の一実施形態に係る印刷システムの全体構成を示すブロック図である。
【図２】図１に示されるプリンタの構成を示すブロック図である。
【図３】図１に示されるＰＣの構成を示すブロック図である。
【図４】図３に示されるハードディスクの内容を示すブロック図である。
【図５】図１に示されるＰＣのディスプレイに表示されるＤＬＰ作成画面の一例を示す図である。
【図６】図１に示されるＰＣにおいて実行されるＤＬＰ作成処理の手順を示すフローチャートである。
【図７】ＤＬＰの計算条件に関する設定が受け付けられたＤＬＰ作成画面の一例を示す図である。
【図８】図１に示されるＰＣのディスプレイに表示される画像選択画面の一例を示す図である。
【図９】図６のステップＳ１１２に示される確認用画像印刷処理の手順を示すフローチャートである。
【図１０】図９のステップＳ２０４に示される組み合わせ算出処理の手順を示すフローチャートである。
【図１１】設定項目の数に応じた設定値の組み合わせの一覧を示す図である。
【図１２】図９のステップＳ２０５に示されるＤＬＰ計算処理の手順を示すフローチャートである。
【図１３】１４の設定項目の中に設定値が未設定の設定項目が４つ存在する場合の設定値の組み合わせの一覧の一例を示す図である。
【図１４】図９のステップＳ２０６に示される出力画像生成処理の手順を示すフローチャートである。
【図１５】図１に示されるプリンタから出力される印刷物の一例を示す図である。
【図１６】ＤＬＰの計算条件に関する設定が受け付けられたＤＬＰ作成画面の一例を示す図である。
【図１７】１４の設定項目の中に設定値が未設定の設定項目が３つ存在する場合の設定値の組み合わせの一覧の一例を示す図である。
【図１８】ＤＬＰの計算条件に関する設定が受け付けられたＤＬＰ作成画面の一例を示す図である。
【図１９】図１に示されるＰＣにおいて実行されるＤＬＰ保存処理の手順を示すフローチャートである。
【図２０】ＤＬＰの名称が受け付けられたＤＬＰ作成画面の一例を示す図である。
【発明を実施するための形態】
【００２７】
以下、図面を参照して、本発明の実施形態を詳細に説明する。
【００２８】
図１は、本発明の一実施形態に係る印刷システムの全体構成を示すブロック図である。
【００２９】
図１に示されるとおり、本実施形態に係る印刷システムは、プリンタ１とＰＣ２とを備える。プリンタ１とＰＣ２とは、直接機器間で相互に通信可能に接続されている。なお、プリンタ１とＰＣ２とは、直接機器間で接続されることなく、ネットワークを介して接続されていてもよい。
【００３０】
図２は、図１に示されるプリンタの構成を示すブロック図である。画像形成装置としてのプリンタ１は、ＣＰＵ１１、ＲＯＭ１２、ＲＡＭ１３、操作パネル１４、印刷部１５、および通信インタフェース１６を含み、これらは信号をやり取りするためのバス１７を介して相互に接続されている。
【００３１】
ＣＰＵ１１は、プログラムにしたがって上記各部の制御や各種の演算処理を実行する。ＲＯＭ１２は、各種プログラムおよび各種データを格納する。ＲＡＭ１３は、作業領域として一時的にプログラムおよびデータを記憶する。
【００３２】
操作パネル１４は、タッチパネル、テンキー、スタートボタン、およびストップボタン等の要素を備えており、各種情報の表示および各種指示の入力に使用される。印刷部１５は、電子写真式プロセス等の周知の作像プロセスを用いて、各種データに基づく画像を用紙等の記録媒体上に印刷する。印刷部１５は、シアン（Ｃ）、マゼンタ（Ｍ）、イエロー（Ｙ）、ブラック（Ｋ）の４色の色材を用いて画像を印刷する。
【００３３】
通信インタフェース１６は、プリンタ１と外部機器との間で通信を行うためのインタフェースであり、イーサネット（登録商標）、トークンリング、ＦＤＤＩ等の規格によるネットワークインタフェースや、ＵＳＢ、ＩＥＥＥ１３９４等のシリアルインタフェース、ＳＣＳＩ、ＩＥＥＥ１２８４等のパラレルインタフェース、Ｂｌｕｅｔｏｏｔｈ（登録商標）、ＩＥＥＥ８０２．１１、ＨｏｍｅＲＦ、ＩｒＤＡ等の無線通信インタフェース等の各種ローカル接続インタフェース、電話回線に接続するための電話回線インタフェース等が用いられる。
【００３４】
図３は、図１に示されるＰＣの構成を示すブロック図である。色変換条件設定装置としてのＰＣ２は、ＣＰＵ２１、ＲＯＭ２２、ＲＡＭ２３、ハードディスク２４、ディスプレイ２５、入力装置２６、および通信インタフェース２７を含み、これらは信号をやり取りするためのバス２８を介して相互に接続されている。なお、ＰＣ２の上記各部のうち、プリンタ１の上記各部と同様の機能を有する部分については、説明の重複を避けるためその説明を省略する。
【００３５】
ハードディスク２４は、オペレーティングシステムを含む各種プログラムおよび各種データを格納する。ディスプレイ２５は、たとえば、ＣＲＴあるいはＬＣＤであり、各種の情報を表示する。入力装置２６は、マウス等のポインティングデバイス、およびキーボードであり、各種の入力を行うために使用される。
【００３６】
図４は、図３に示されるハードディスクの内容を示すブロック図である。図４に示されるとおり、ＰＣ２のハードディスク２４は、各種プログラムを格納するための領域であるプログラム記憶部と、各種データを格納するための領域であるデータ記憶部と、後述するＤＬＰ作成画面の設定を格納するための領域である表示情報記憶部とを有する。
【００３７】
プログラム記憶部には、ＤＬＰ演算部、画像処理部、および面付け処理部に対応するプログラムが格納されている。ＤＬＰ演算部は、ソースプロファイルおよびデスティネーションプロファイルに基づいてＤＬＰ（デバイスリンクプロファイル）を計算する。ここで、ソースプロファイルは、入力デバイスの色空間をプロファイル接続空間（Ｐｒｏｆｉｌｅ  Ｃｏｎｎｅｃｔｉｏｎ  Ｓｐａｃｅ）に変換するためのものであり、デスティネーションプロファイルは、プロファイル接続空間を出力デバイスの色空間に変換するためのものである。ＤＬＰは、入力デバイスの色空間を出力デバイスの色空間に直接的に変換するためのものである。画像処理部は、ＤＬＰを適用して画像データの色変換処理を行い、出力用の画像データを生成する。面付け処理部は、複数の出力用の画像データを一つのフレーム上に配置する。なお、ＤＬＰ演算部、画像処理部、および面付け処理部の機能は、それぞれに対応するプログラムをＣＰＵ２１が実行することにより発揮される。
【００３８】
データ記憶部には、ソースプロファイルおよびデスティネーションプロファイル等の色変換プロファイル、確認印刷用の画像データ、ならびにＤＬＰを計算するために使用されるＤＬＰ演算条件が格納されている。
【００３９】
表示情報記憶部には、ＤＬＰ作成画面を通じて受付けられるプロファイル設定、レンダリング設定、ベタ保持設定、中間にごり除去設定、および確認印刷設定が格納される。
【００４０】
図５は、図１に示されるＰＣのディスプレイに表示されるＤＬＰ作成画面の一例を示す図である。ユーザは、ＤＬＰを作成するに際し、ＰＣ２のディスプレイ２５に表示されるＤＬＰ作成画面１００上で、ＤＬＰの作成に用いる色変換プロファイルおよび補正処理に関する設定項目について選択または指定を行う。ここで、ＤＬＰ作成画面１００は、プロファイル選択部１１０、ＤＬＰ計算部１２０、およびＤＬＰ保存部１３０を有している。
【００４１】
プロファイル選択部１１０は、ソースプロファイルの選択を受け付けるソースプロファイル選択部１１１と、デスティネーションプロファイルの選択を受け付けるデスティネーションプロファイル選択部１１２と、レンダリングインテントの選択を受け付けるレンダリングインテント選択部１１３とを有している。
【００４２】
ソースプロファイル選択部１１１およびデスティネーションプロファイル選択部１１２は、選択ボタンを有しており、選択ボタンが押下げられることにより表示される複数の色変換プロファイルの中から、ソースプロファイルおよびデスティネーションプロファイルのユーザによる選択を各々一つ受け付ける。同様に、レンダリングインテント選択部１１３は、選択ボタンを有しており、選択ボタンが押下げられることにより表示される「測色的（相対白色）」、「測色的（絶対白色）」、「知覚的」、および「彩度」の４種類のレンダリングインテントの中から、一つのレンダリングインテントのユーザによる選択を受け付ける。
【００４３】
ＤＬＰ計算部１２０は、ベタ保持処理のＯＮ／ＯＦＦ設定を受け付けるベタ保持設定部１２１と、中間にごり除去処理のＯＮ／ＯＦＦ設定を受け付ける中間にごり除去設定部１２２とを有している。また、ＤＬＰ計算部１２０は、確認印刷を指示するための確認印刷ボタン１２３と、設定項目の優先順位を設定するための優先順位設定ボタン１２４と、確認印刷を行うことなくＤＬＰを計算するための計算ボタン１２５とを有している。
【００４４】
ベタ保持設定部１２１は、ブラック（Ｋ）、シアン（Ｃ）、マゼンタ（Ｍ）、およびイエロー（Ｙ）の１次色と、赤（Ｒ）、緑（Ｇ）、および青（Ｂ）の２次色の７つの基本色のそれぞれについて設けられた７つの設定項目を有しており、各設定項目は、ベタ保持処理を行うことを指示するための「ＯＮ」の選択ボックスと、ベタ保持処理を行わないことを指示するための「ＯＦＦ」の選択ボックスとを有している。ユーザにより「ＯＮ」の選択ボックスが選択される場合、該当する基本色の入力値１００％（ベタ）部が色変換処理後においても１００％（ベタ）部のまま保持されるようにＤＬＰが調整される。
【００４５】
同様に、中間にごり除去設定部１２２は、上記７つの基本色のそれぞれについて設けられた７つの設定項目を有しており、各設定項目は、中間にごり除去処理を行うことを指示するための「ＯＮ」の選択ボックスと、中間にごり除去処理を行わないことを指示するための「ＯＦＦ」の選択ボックスとを有している。ユーザにより「ＯＮ」の選択ボックスが選択される場合、該当する基本色の中間％部（網点部）に色変換処理によって基本色の構成色以外の色が混入されることを防止するようにＤＬＰが調整される。具体的には、「Ｃ」に関する中間にごり除去の設定が「ＯＦＦ」の状態で色変換処理が行われば、[Ｃ：５０，Ｍ：０，Ｙ：０，Ｋ：０]で表される色が、例えば、[Ｃ：５２，Ｍ：１，Ｙ：２，Ｋ：０]に変換される場合に、「Ｃ」に関する中間にごり除去の設定が「ＯＮ」の状態で色変換処理が行われれば、[Ｃ：５０，Ｍ：０，Ｙ：０，Ｋ：０]で表される色が、例えば、[Ｃ：５２，Ｍ：０，Ｙ：０，Ｋ：０]に変換されるようにＤＬＰが調整される。また、２次色である「Ｒ」に関する中間にごり除去の設定が「ＯＦＦ」の状態で色変換処理が行われば、[Ｃ：０，Ｍ：５０，Ｙ：５０，Ｋ：０]で表される色が、例えば、[Ｃ：３，Ｍ：５０，Ｙ：５２，Ｋ：０]に変換される場合に、「Ｒ」に関する中間にごり除去の設定が「ＯＮ」の状態で色変換処理が行われれば、[Ｃ：０，Ｍ：５０，Ｙ：５０，Ｋ：０]で表される色が、例えば、[Ｃ：０，Ｍ：５０，Ｙ：５２，Ｋ：０]に変換されるようにＤＬＰが調整される。
【００４６】
ＤＬＰ保存部１３０は、ユーザによるＤＬＰの名称の入力を受け付けるための名称入力部１３１と、ユーザによるＤＬＰの保存指示を受け付けるための保存ボタン１３２とを有している。
【００４７】
なお、プリンタ１およびＰＣ２は、それぞれ、上記構成要素以外の構成要素を含んでいてもよく、あるいは、上記構成要素のうちの一部が含まれていなくてもよい。
【００４８】
以上のように構成される本実施形態の印刷システムでは、ＤＬＰ作成画面１００の設定内容に基づいてＤＬＰが作成される。このとき、ＤＬＰ作成画面１００に設けられている補正処理に関する１４の設定項目の中に、ＯＮ／ＯＦＦが未設定のままにされている設定項目が含まれる場合、ユーザが実際に画像を見比べて最適な設定値を決定することができるように、設定項目に対して設定され得るＯＮ／ＯＦＦのすべての組み合わせに対応する複数の画像が印刷出力される。以下、図６〜図２０を参照して、本実施形態におけるＰＣ２の動作について説明する。
【００４９】
図６は、図１に示されるＰＣにおいて実行されるＤＬＰ作成処理の手順を示すフローチャートである。なお、図６のフローチャートにより示されるアルゴリズムは、ＰＣ２のハードディスク２４等の記憶部にプログラムとして記憶されており、ＣＰＵ２１によって実行される。
【００５０】
図６に示されるとおり、ＤＬＰ作成処理では、まず、ＤＬＰの計算条件に関する設定が受け付けられる（ステップＳ１０１）。本実施形態では、ＤＬＰ作成画面１００を通じて、ソースプロファイル、デスティネーションプロファイル、およびレンダリングインテントが受け付けられる。また、ＤＬＰ作成画面１００を通じて、７つの基本色のそれぞれについて、ベタ保持処理および中間にごり除去処理のＯＮ／ＯＦＦ設定が受け付けられる。このとき、ユーザがＯＮ／ＯＦＦを決定できないベタ保持処理および中間にごり除去処理の設定項目については、ＯＮ／ＯＦＦが未設定のままにされ得る。
【００５１】
図７は、ＤＬＰの計算条件に関する設定が受け付けられたＤＬＰ作成画面の一例を示す図である。図７に示されるＤＬＰ作成画面１００では、ソースプロファイルおよびデスティネーションプロファイルとして「ＳＲＣ＿ａａａ．ｉｃｃ」および「ＤＳＴ＿ｂｂｂ．ｉｃｃ」がそれぞれ設定され、レンダリングインテントとして「測色的（相対白色）」が設定されている。また、ベタ保持処理について、「Ｋ」、「Ｃ」、および「Ｍ」については「ＯＮ」が設定され、「Ｇ」および「Ｂ」については「ＯＦＦ」が設定されている。一方、「Ｙ」および「Ｒ」については、ＯＮ／ＯＦＦが未設定のままにされている。同様に、中間にごり除去処理について、「Ｋ」については「ＯＮ」が設定され、「Ｂ」については「ＯＦＦ」が設定される。一方、「Ｃ」、「Ｍ」、「Ｙ」、「Ｒ」、および「Ｇ」については、ＯＮ／ＯＦＦが未設定のままにされている。
【００５２】
続いて、計算ボタン１２５が押下げられたか否かが判断される（ステップＳ１０２）。具体的には、ユーザのマウス操作により、ＤＬＰ作成画面１００の計算ボタン１２５が押下げられたか（クリックされたか）否かが判断される。
【００５３】
計算ボタン１２５が押下げられていないと判断される場合（ステップＳ１０２：ＮＯ）、ステップＳ１０６の処理に移行する。一方、計算ボタン１２５が押下げられたと判断される場合（ステップＳ１０２：ＹＥＳ）、ＤＬＰ作成画面１００の設定が読み込まれる（ステップＳ１０３）。本実施形態では、ステップＳ１０１に示す処理において受け付けられたソースプロファイル、デスティネーションプロファイル、レンダリングインテント、ベタ保持処理、および中間にごり除去処理の設定が読み込まれる。
【００５４】
続いて、複数の設定項目の中に、ＯＮ／ＯＦＦが未設定のままにされている設定項目があるか否かが判断される（ステップＳ１０４）。本実施形態では、ステップＳ１０３に示す処理で読み込まれたベタ保持処理および中間にごり除去処理の設定のうち、ＯＮ／ＯＦＦのどちらも選択されていない設定項目があるか否か判断される。ＯＮ／ＯＦＦが未設定の設定項目があると判断される場合（ステップＳ１０４：ＹＥＳ）、ＤＬＰを計算することができないとして、ステップＳ１０１の処理に戻る。一方、ＯＮ／ＯＦＦが未設定の設定項目がないと判断される場合（ステップＳ１０４：ＮＯ）、設定内容に基づいてＤＬＰが計算される（ステップＳ１０５）。本実施形態では、ステップＳ１０３に示す処理で読み込まれた設定内容に基づいてＤＬＰが計算される。その結果、ＤＬＰ作成画面１００の設定に基づくＤＬＰが作成される。なお、設定内容に基づいてＤＬＰを計算する処理自体は一般的なＤＬＰの計算技術であるため、詳細な説明は省略する。
【００５５】
一方、ステップＳ１０２の処理で、計算ボタン１２５が押下げられてないと判断される場合（ステップＳ１０２：ＮＯ）、確認印刷ボタン１２３が押下げられたか否かが判断される（ステップＳ１０６）。具体的には、ユーザのマウス操作により、ＤＬＰ作成画面１００の確認印刷ボタン１２３が押下げられたか否かが判断される。
【００５６】
確認印刷ボタン１２３が押下げられていないと判断される場合（ステップＳ１０６：ＮＯ）、ステップＳ１０１の処理に戻る。一方、確認印刷ボタン１２３が押下げられたと判断される場合（ステップＳ１０６：ＹＥＳ）、画像選択画面２００が表示される（ステップＳ１０７）。本実施形態では、ユーザによる確認用画像の選択を受け付けるために、図８に示されるような画像選択画面２００が表示される。
【００５７】
続いて、確認用画像の選択に関する設定が受け付けられる（ステップＳ１０８）。本実施形態では、画像選択画面２００を通じて、確認用画像が受け付けられる。
【００５８】
続いて、ＯＫボタンが押下げられたか否かが判断される（ステップＳ１０９）。具体的には、ユーザのマウス操作により、画像選択画面２００のＯＫボタンが押下げられたか否かが判断される。ＯＫボタンが押下げられていないと判断される場合（ステップＳ１０９：ＮＯ）、ステップＳ１０８の処理に戻る。
【００５９】
一方、ＯＫボタンが押下げられたと判断される場合（ステップＳ１０９：ＹＥＳ）、ＤＬＰ作成画面１００の設定が読み込まれ、複数の設定項目の中に、ＯＮ／ＯＦＦが未設定のままにされている設定項目があるか否かが判断される（ステップＳ１１０，Ｓ１１１）。
【００６０】
複数の選定項目の中に、ＯＮ／ＯＦＦが未設定の設定項目があると判断される場合（ステップＳ１１１：ＹＥＳ）、確認用画像印刷処理が実行される（ステップＳ１１２）。本実施形態では、ＯＮ／ＯＦＦが未設定の設定項目のＯＮ／ＯＦＦをユーザが決定するための判断材料として、ＯＮ／ＯＦＦが未設定の設定項目に対して設定され得るすべてのＯＮ／ＯＦＦの組み合わせに対応する複数の画像が印刷出力されるように、確認用画像印刷処理が実行される。ステップＳ１１２に示される確認用画像印刷処理の詳細については後述する。
【００６１】
一方、ステップＳ１１１の処理で、複数の選定項目の中に、ＯＮ／ＯＦＦが未設定の設定項目がないと判断される場合（ステップＳ１１１：ＮＯ）、設定内容に基づいてＤＬＰが計算される（ステップＳ１１３）。本実施形態では、ステップＳ１１０に示す処理で読み込まれた設定内容に基づいてＤＬＰが計算される。その結果、ＤＬＰ作成画面１００の設定に基づくＤＬＰが作成される。
【００６２】
続いて、ＤＬＰを適用して印刷出力用の画像データが生成され、生成された画像データがプリンタ１に送信される（ステップＳ１１４，Ｓ１１５）。本実施形態では、まず、ステップＳ１１３に示す処理で作成されたＤＬＰを適用してステップＳ１０８に示す処理で受け付けられた確認用画像の画像データの色変換処理が行われる。そして、色変換処理された画像データがプリンタ１に送信される。その結果、プリンタ１により確認用画像が印刷出力される。
【００６３】
以上のとおり、図６に示されるフローチャートの処理によれば、ＤＬＰ作成画面１００の設定に基づいてＤＬＰが作成される。このとき、ＤＬＰ作成画面１００にＯＮ／ＯＦＦが未設定の設定項目が含まれる場合、確認用画像印刷処理が実行される。以下、図９〜図２０を参照して、本実施形態の確認用画像印刷処理について詳細に説明する。
【００６４】
図９は、図６のステップＳ１１２に示される確認用画像印刷処理の手順を示すフローチャートである。
【００６５】
図９に示されるとおり、確認用画像印刷処理では、まず、ＯＮ／ＯＦＦが未設定の設定項目の数が４を超えているか否かが判断される（ステップＳ２０１）。本実施形態では、ＤＬＰ作成画面１００に表示される補正処理に関する１４の設定項目のうち、ＯＮ／ＯＦＦが未設定のままにされている設定項目の数が４を超えているか否かが判断される。たとえば、図７に示されるＤＬＰ作成画面１００では、ＯＮ／ＯＦＦが未設定のままにされている設定項目は７つ認識され、ＯＮ／ＯＦＦが未設定の設定項目の数が４を超えていると判断される。
【００６６】
ＯＮ／ＯＦＦが未設定の設定項目の数が４を超えていないと判断される場合（ステップＳ２０１：ＮＯ）、ステップＳ２０４の処理に移行する。一方、ＯＮ／ＯＦＦが未設定の設定項目の数が４を越えていると判断される場合（ステップＳ２０１：ＹＥＳ）、記憶部に予め記憶されている設定項目の優先順位を参照して、上位４つの設定項目が選択される（ステップＳ２０２）。本実施形態では、ハードディスク２４等の記憶部に設定項目の優先順位が予め記憶されており、この優先順位にしたがって、ＯＮ／ＯＦＦが未設定のままにされている５つ以上の設定項目の中から、４つの設定項目が選択される。
【００６７】
本実施形態では、１次色（Ｃ，Ｍ，Ｙ，Ｋ）のベタ保持処理、１次色の中間にごり除去処理、２次色（Ｒ，Ｇ，Ｒ）のベタ保持処理、および２次色の中間にごり除去処理の順で優先順位が設定されている。したがって、図７に示されるＤＬＰ作成画面１００の設定では、ＯＮ／ＯＦＦが未設定の７つの設定項目の中から、「Ｙ」のベタ保持処理と、「Ｃ」、「Ｍ」、および「Ｙ」の中間にごり除去処理に関する４つの設定項目が選択される。なお、このような優先順位は、カンプ・プルーフ用途のように、ベタ部をベタ部のまま保持する一方で中間濃度部は色再現性が良くなるような設定を行う場合や、グラフィック画像のように中間濃度部の色調を鮮やかにしたい場合において、１次色から調整していくと色調整しやすいために有効である。
【００６８】
優先順位は、ＤＬＰ作成画面１００の優先順位ボタン１２４を押下げることより表示される優先順位設定画面（不図示）を通じて、ユーザにより設定され得る。優先順位は、印刷対象の画像データに含まれるオブジェクトの種類（テキスト、イメージ、グラフィック）に応じて設定され得る。たとえば、テキストオブジェクトのような文字品質を重視する画像に対しては、文字太りを抑制して良好な文字品質を確保する見地から、１次色のベタ保持処理、２次色のベタ保持処理、１次色の中間濁り除去処理、および２次色の中間濁り除去処理の順に優先順位が設定される。
【００６９】
続いて、上位４つの設定項目を除くＯＮ／ＯＦＦが未設定の残りの設定項目の設定値が、デフォルト値に設定される（ステップＳ２０３）。本実施形態では、ＯＮ／ＯＦＦが未設定の７つの設定項目のうち、ステップＳ２０２に示す処理で選択された４つの設定項目を除く残りの３つの設定項目の設定値が、たとえば、ＯＦＦに設定される。
【００７０】
続いて、組み合わせ算出処理が実行される（ステップＳ２０４）。本実施形態では、ＯＮ／ＯＦＦが未設定の設定項目に対して選択され得る設定値の組み合わせが求められる。
【００７１】
図１０に示されるとおり、組み合わせ算出処理では、まず、ＯＮ／ＯＦＦが未設定のままにされている設定項目の数Ｎが取得される（ステップＳ３０１）。本実施形態では、ＯＮ／ＯＦＦが未設定のままにされている設定項目の数Ｎとして、４以下の自然数が取得される。
【００７２】
そして、記憶部に予め記憶されている複数種類のテーブルの中から、ＯＮ／ＯＦＦが未設定のままにされている設定項目の数Ｎに対応する番号Ｎのテーブルが選択され（ステップＳ３０２）、図９のステップＳ２０４の処理に戻る。本実施形態では、図１１に示されるような４種類のテーブルがハードディスク２４等の記憶部に予め記憶されており、ステップＳ３０１に示す処理で取得された数Ｎに対応する１つのテーブルＮが選択される。たとえば、ＯＮ／ＯＦＦが未設定の設定項目が４つの場合、１６種類の設定値（ＯＮ／ＯＦＦ）の組み合わせを有するテーブル４が選択される。
【００７３】
続いて、ＤＬＰ計算処理が実行される（ステップＳ２０５）。本実施形態では、ステップＳ２０４に示される組み合わせ算出処理で求められたＯＮ／ＯＦＦの組み合わせのそれぞれについて、対応する設定値に基づいてＤＬＰが計算される。
【００７４】
図１２に示されるとおり、ＤＬＰ計算処理では、まず、ｎ＝１が設定される（ステップＳ４０１）。
【００７５】
続いて、ｎが２のＮ乗と一致するか否かが判断される（ステップＳ４０２）。ここで、Ｎは、ＯＮ／ＯＦＦが未設定のままにされている設定項目の数を示し、ＯＮ／ＯＦＦが未設定の設定項目の数Ｎが４の場合、ｎが２４＝１６と一致するか否かが判断される。
【００７６】
ｎが２のＮ乗と一致すると判断される場合（ステップＳ４０２：ＹＥＳ）、図９のステップＳ２０５の処理に戻る。一方、ｎが２のＮ乗と一致しないと判断される場合（ステップＳ４０２：ＮＯ）、ｎ番目の設定値の組み合わせと、既にＯＮ／ＯＦＦが設定されている他の設定項目の設定値とに基づいてｎ番目のＤＬＰが作成される（ステップＳ４０３）。本実施形態では、ステップＳ２０４に示される組み合わせ算出処理で選択されたテーブルＮに示されるｎ番目のＯＮ／ＯＦＦの組み合わせが適用された設定項目と、設定値が設定済みの設定項目と、ソースプロファイル、デスティネーションプロファイル、およびレンダリングインテントの設定内容に基づいて、ｎ番目のＤＬＰが作成される。
【００７７】
続いて、ｎ番目のＤＬＰが保存される（ステップＳ４０４）。本実施形態では、ステップＳ４０３に示す処理で作成されたｎ番目のＤＬＰが、ＲＡＭ２３等の記憶部に一時的に格納される。
【００７８】
そして、ｎがｎ＋１に変更され（ステップＳ４０５）、ｎが２のＮ乗と一致するまでステップＳ４０１〜Ｓ４０５の処理が繰り返されたのち、図９のステップＳ２０５の処理に戻る。その結果、ベタ保持処理および中間にごり除去処理についての異なるＯＮ／ＯＦＦ設定に対応する２のＮ乗種類のＤＬＰが作成される。たとえば、図７に示されるＤＬＰ作成画面１００については、図１３に示される１６通りのＯＮ／ＯＦＦの組み合わせに基づいて、１６種類のＤＬＰが作成される。
【００７９】
続いて、出力画像生成処理が実行される（ステップＳ２０６）。本実施形態では、ステップＳ２０５に示されるＤＬＰ計算処理で作成された複数種類のＤＬＰを適用して、図６のステップＳ１０８に示す処理で選択された確認用画像の画像データに対する色変換処理が行われ、複数種類のＤＬＰに対応する複数の出力用の画像データが生成される。
【００８０】
図１４に示されるとおり、出力画像生成処理では、まず、ｎ＝１が設定される（ステップＳ５０１）。
【００８１】
続いて、ｎが２のＮ乗と一致するか否かが判断される（ステップＳ５０２）。ここで、Ｎは、ＯＮ／ＯＦＦが未設定のままにされている設定項目の数を示し、ＯＮ／ＯＦＦが未設定の設定項目の数Ｎが４の場合、ｎが２４＝１６と一致するか否かが判断される。
【００８２】
ｎが２のＮ乗と一致すると判断される場合（ステップＳ５０２：ＹＥＳ）、図９のステップＳ２０６の処理に戻る。一方、ｎが２のＮ乗と一致しないと判断される場合（ステップＳ５０２：ＮＯ）、ｎ番目のＤＬＰを適用して、確認印刷用の画像データが生成される（ステップＳ５０３）。本実施形態では、図１２に示されるＤＬＰ計算処理で作成されたｎ番目のＤＬＰが呼び出され、呼び出されたＤＬＰを適用して確認印刷用の画像データに対する色変換処理が行われる。
【００８３】
続いて、ｎ番目の色変換処理済みの画像データが保存される（ステップＳ５０４）。本実施形態では、ステップＳ５０３に示す処理で生成されたｎ番目の画像データが、ＲＡＭ２３等の記憶部に一時的に格納される。
【００８４】
そして、ｎがｎ＋１に変更され（ステップＳ５０５）、ｎが２のＮ乗と一致するまでステップＳ５０１〜Ｓ５０５の処理が繰り返されたのち、図９のステップＳ２０６の処理に戻る。その結果、ベタ保持処理および中間にごり除去処理についての異なるＯＮ／ＯＦＦ設定の組み合わせに対応する２のＮ乗（たとえば、１６）の画像データが生成される。
【００８５】
続いて、組み合わせの数に応じた面付けレイアウトが作成され、画像データがレイアウトに応じて配置される（ステップＳ２０７，Ｓ２０８）。本実施形態では、ステップＳ２０６に示される出力画像生成処理で生成された複数の画像データに基づく画像が一枚の用紙上に集約して印刷されるように、組み合わせの数に応じたレイアウトが作成されて画像データが配置される。
【００８６】
そして、レイアウトに応じて配置された画像データがプリンタ１に送信され（ステップＳ２０９）、処理が終了される。本実施形態では、ステップＳ２０８に示す処理でレイアウトに応じて配置された複数の画像データがプリンタ１に送信される。その結果、プリンタ１において、画像データに基づく画像が印刷出力される。
【００８７】
図１５は、プリンタから出力される印刷物の一例を示す図である。図１５（Ａ）は、１枚の用紙上に配置される複数の画像を示す図であり、図１５（Ｂ）は、図１５（Ａ）の部分拡大図である。
【００８８】
図１５（Ａ）に示されるとおり、プリンタ１から出力される印刷物３００では、ＯＮ／ＯＦＦが未設定の設定項目のＯＮ／ＯＦＦのすべての組み合わせを網羅する複数の画像３２０が一枚の用紙３１０上に印刷されている。複数の画像３２０は、ユーザにより選択された一の画像データを異なるＤＬＰにより色変換処理して得られたものであり、その色調が異なる。また、図１５（Ｂ）に示されるとおり、各画像３２０には、当該画像の色変換処理の際に適用されたベタ保持処理および中間にごり除去処理についての基本色毎のＯＮ／ＯＦＦ設定を示す設定値情報３３０が付加されている。
【００８９】
以上のとおり、図９に示されるフローチャートの処理によれば、ＯＮ／ＯＦＦが未設定の設定項目のＯＮ／ＯＦＦのすべての組み合わせが求められ、各組み合わせに基づいて複数のＤＬＰが作成される。そして、複数のＤＬＰのそれぞれについて、画像データの色変換処理が行われ、複数の画像が一枚の用紙上にまとめて印刷される。したがって、ユーザは、複数の画像３２０を見比べて複数の画像の中から所望の画像を選出することができる。そして、選出された画像に付加されている設定値情報３３０にしたがって、ユーザは、ＯＮ／ＯＦＦが未設定のままにされている設定項目の設定値をＤＬＰ作成画面１００上で選択することにより、所望の色変換処理を実現するＤＬＰを作成することができる。
【００９０】
なお、上述した実施形態では、ＯＮ／ＯＦＦが未設定の設定項目に対して設定され得る設定値のすべての組み合わせに対応する複数のＤＬＰが作成された後、作成された複数のＤＬＰを順次適用して画像データの色変換処理が行われた。しかしながら、ＯＮ／ＯＦＦが未設定の設定項目に対して設定され得る１つの設定値の組み合わせに対応する１つのＤＬＰが作成された後、作成されたＤＬＰを適用して画像データの色変換処理が行われるという手順が、設定値のすべての組み合わせを網羅するまで複数回繰り返されてもよい。
【００９１】
そして、図７に示されるＤＬＰ作成画面１００のように、ＯＮ／ＯＦＦが未設定の設定項目が７つ認識される場合には、まず、優先順位が上位の４つの設定項目の設定値の組み合わせに対して、色調の異なる１６種類の画像が印刷出力される。上述したとおり、このとき、残りの３つの設定項目の設定値はデフォルト値に設定される。ユーザは、１６種類の画像を見比べて、４つの設定項目のＯＮ／ＯＦＦの最適な組み合わせを決定する。それから、ユーザは、図１６に示されるように、ＤＬＰ作成画面１００上で、ＯＮ／ＯＦＦが未設定のままにされていた上位４つの設定項目のＯＮ／ＯＦＦを設定し、確認印刷ボタン１２３を再度クリックする。このようにすると、ＯＮ／ＯＦＦが未設定の残りの３つの設定項目について、図６に示されるフローチャートの処理が再び実行され、図１７に示される設定値の組み合わせに基づいて、色調の異なる８種類の画像が印刷出力される。
【００９２】
それから、ユーザは、８種類の画像を見比べることにより、残りの３つの設定項目の設定値を決定し、これにしたがって、図１８に示されるように、ＤＬＰ作成画面１００上で３つの設定項目のＯＮ／ＯＦＦを設定する。そして、ユーザは、確認印刷ボタン１２３または計算ボタン１２５をクリックすることにより、所望の色変換処理を実現するＤＬＰを作成することができる。
【００９３】
最後に、作成されたＤＬＰを保存する処理について説明する。
【００９４】
図１９は、図１に示されるＰＣにおいて実行されるＤＬＰ保存処理の手順を示すフローチャートである。なお、図１９のフローチャートにより示されるアルゴリズムは、ＰＣ２のハードディスク２４等の記憶部にプログラムとして記憶されており、ＣＰＵ２１によって実行される。
【００９５】
図１９に示されるとおり、ＤＬＰ保存処理では、まず、ＤＬＰの保存に関する設定が受け付けられる（ステップＳ６０１）。本実施形態では、ＤＬＰ作成画面１００の名称入力部１３１を通じて、ＤＬＰの名称が受け付けられる。たとえば、図２０に示されるように、ＤＬＰの名称として「ＤＬＰ＿ａｂａｂａｂ．ｉｃｃ」が受け付けられる。
【００９６】
続いて、保存ボタン１３２が押下げられたか否かが判断される（ステップＳ６０２）。具体的には、ユーザのマウス操作により、ＤＬＰ作成画面１００の保存ボタン１３２が押下げられたか否かが判断される。
【００９７】
保存ボタン１３２が押下げられていないと判断される場合（ステップＳ６０２：ＮＯ）、ステップＳ６０１の処理に戻る。一方、保存ボタン１３２が押下げられたと判断される場合（ステップＳ６０２：ＹＥＳ）、ＤＬＰが保存され（ステップＳ６０３）、処理が終了される。本実施形態では、図６に示されるフローチャートの処理により作成されたＤＬＰが、ハードディスク２４等の記憶部に格納される。
【００９８】
以上のとおり、本実施形態の印刷システムによれば、ＤＬＰ作成画面１００にＯＮ／ＯＦＦが未設定の設定項目が含まれる場合、設定項目に対して設定され得るすべてのＯＮ／ＯＦＦの組み合わせを網羅するように、ＯＮ／ＯＦＦの組み合わせが異なる条件で色変換処理が実行された複数の画像が印刷出力される。したがって、ユーザは、複数の画像を見比べることにより、所望の色変換処理を実現する最適な設定値の組み合わせを容易に決定することができる。
【００９９】
本発明は、上記した実施形態のみに限定されるものではなく、特許請求の範囲内において、種々改変することができる。
【０１００】
たとえば、上記実施形態では、設定項目の設定値としてＯＮ／ＯＦＦの２つの選択肢が選択可能である場合について説明した。しかしながら、設定値の選択肢が３つ以上の設定項目に対しても適用可能である。
【０１０１】
また、上記実施形態では、ＯＮ／ＯＦＦが未設定の設定項目の数が４を超える場合、優先順位が高い４つの設定項目が選択され、優先的に処理された。しかしながら、許容数は４に限定されるものではなく、用紙の大きさや画像の大きさに応じて適宜設定され得る。
【０１０２】
また、上記実施形態では、種々の画像データの色変換処理に利用可能なようにＤＬＰが保存された。しかしながら、最終的にＤＬＰを保存することなく、ＤＬＰ作成画面の設定が保存されてもよい。
【０１０３】
本実施形態にかかる色変換条件設定装置における各種処理を行う手段および方法は、専用のハードウエア回路、またはプログラムされたコンピュータのいずれによっても実現することが可能である。上記プログラムは、たとえば、フレキシブルディスクおよびＣＤ−ＲＯＭ等のコンピュータ読み取り可能な記録媒体によって提供されてもよいし、インターネット等のネットワークを介してオンラインで提供されてもよい。この場合、コンピュータ読み取り可能な記録媒体に記録されたプログラムは、通常、ハードディスク等の記憶部に転送され記憶される。また、上記プログラムは、単独のアプリケーションソフトとして提供されてもよいし、色変換条件設定装置の一機能としてその装置のソフトウエアに組み込まれてもよい。
【符号の説明】
【０１０４】
１  プリンタ、
１１，２１  ＣＰＵ、
１２，２２  ＲＯＭ、
１３，２３  ＲＡＭ、
１４  操作パネル、
１５  印刷部、
１６，２７  通信インタフェース、
１７，２８  バス、
２  ＰＣ、
２４  ハードディスク、
２５  ディスプレイ、
２６  入力装置、
１００  ＤＬＰ作成画面、
２００  画像選択画面。
【図１】
2011049833.tif 000003
【図２】
2011049833.tif 000004
【図３】
2011049833.tif 000005
【図４】
2011049833.tif 000006
【図５】
2011049833.tif 000007
【図６】
2011049833.tif 000008
【図７】
2011049833.tif 000009
【図８】
2011049833.tif 000010
【図９】
2011049833.tif 000011
【図１０】
2011049833.tif 000012
【図１１】
2011049833.tif 000013
【図１２】
2011049833.tif 000014
【図１３】
2011049833.tif 000015
【図１４】
2011049833.tif 000016
【図１５】
2011049833.tif 000017
【図１６】
2011049833.tif 000018
【図１７】
2011049833.tif 000019
【図１８】
2011049833.tif 000020
【図１９】
2011049833.tif 000021
【図２０】
2011049833.tif 000022